(57)【特許請求の範囲】
【請求項１】
互いに隣接するパネル本体の対向面に形成された上下方向を向く各凹溝部を、少なくとも前面側に多数の縦長孔を有する角筒状の支柱に取付けて形成された間仕切パネルにおける前記支柱の上端部に、高さ変更用パネルを取付けるための上部支柱を連結する際の連結構造であって、
前記支柱とほぼ同形の角筒状をなす上部支柱の内面下部に、支柱の上端部内に密に嵌合可能な嵌合杆を突設するとともに、上部支柱の一側面に、前記一方のパネル本体の凹溝に挿入可能な補強杆を、前記嵌合杆との間に前記支柱の側壁の肉厚よりも僅かに大きな隙間が形成されるように対向状に固着し、前記嵌合杆を支柱の上端部に嵌合して上部支柱を立設させたとき、嵌合杆と補強杆とにより支柱の側壁を狭持するようにしたことを特徴とする間仕切パネルにおける上部支柱の連結構造。
【請求項２】
上部支柱の他側面にも、嵌合杆とにより支柱の他方の側壁を狭持可能な補強杆を設けた請求項１に記載の間仕切パネルにおける上部支柱の連結構造。
【請求項３】
補強杆の前後の端縁に側方を向く折曲片を連設し、両折曲片の前後面をパネル本体の凹溝内の前後の面と当接又は近接させた請求項１または２に記載の間仕切パネルにおける上部支柱の連結構造。
【請求項４】
嵌合杆の下端部に、該嵌合杆を支柱に嵌合したとき、支柱の縦長孔と弾性係合する係止部材を設けた請求項１ないし３のいずれかに記載の間仕切パネルにおける上部支柱の連結構造。
【請求項５】
係止部材を、前後方向に撓曲可能な弾性片よりなるものとし、かつ下端部に、斜前上方を向いて傾斜するとともに、上端に支柱の縦長孔の上端縁に係止可能なほぼ水平の係止縁を有する係合爪部を備えるものとした請求項４に記載の間仕切パネルにおける上部支柱の連結構造。
【発明の詳細な説明】
【０００１】
【発明の属する技術分野】
本発明は、オフィス等の空間を仕切るローパーティションの高さを変更する際の間仕切パネルにおける上部支柱の連結構造に関する。
【０００２】
【従来の技術】
互いに隣接するパネル本体の対向面同士を支柱に引っ掛けるなどしてローパーティションを形成するものにおいて、間仕切パネルの高さを高くする際には、支柱を長くする必要があるが、従来は支柱自体を新たに長寸のものに交換するか、あるいは高くしたい分の長さの上部支柱を既設の支柱の上端部に差し込んでねじ止めするなどしている。
【０００３】
【発明が解決しようとする課題】
上述した前者のように、支柱自体を交換して間仕切パネルの高さを高くしようとすると、既に施工してあるパネル本体や支柱等が不要となるため、それらを分解して取外し、全てを新たに施工し直す必要があり、その作業が面倒であるとともに、施工費や交換部材の費用が嵩む。
【０００４】
一方、上記後者のように、必要な長さの上部支柱を既設の支柱の上端部に差し込んで連結するものは、必要最小限の部材を取外すのみで施工し得る利点があるが、上部支柱の下端部を単に既設の支柱の上端部に差し込んでねじ止めしただけでは、連結部の強度が小さく、上部支柱に棚板等を取付けて使用することはできない。
【０００５】
本発明は、上記問題点を解決するためになされたもので、既設の支柱の上端部に、上部支柱を強固に連結し、パネルの高さを容易かつ安価な施工費で変更し得るようにした間仕切パネルにおける上部支柱の連結構造を提供することを目的としている。
【０００６】
【課題を解決するための手段】
上記目的を達成するために、本発明の間仕切パネルにおける上部支柱の連結構造は、互いに隣接するパネル本体の対向面に形成された上下方向を向く各凹溝部を、少なくとも前面側に多数の縦長孔を有する角筒状の支柱に取付けて形成された間仕切パネルにおける前記支柱の上端部に、高さ変更用パネルを取付けるための上部支柱を連結する際の連結構造であって、
前記支柱とほぼ同形の角筒状をなす上部支柱の内面下部に、支柱の上端部内に密に嵌合可能な嵌合杆を突設するとともに、上部支柱の一側面に、前記一方のパネル本体の凹溝に挿入可能な補強杆を、前記嵌合杆との間に前記支柱の側壁の肉厚よりも僅かに大きな隙間が形成されるように対向状に固着し、前記嵌合杆を支柱の上端部に嵌合して上部支柱を立設させたとき、嵌合杆と補強杆とにより支柱の側壁を狭持するようにしたことを特徴としている。
上記構成の本発明によると、上部支柱は、支柱の上端部に嵌合した嵌合杆の嵌合強度と、嵌合杆と補強杆とによる支柱側壁の狭持強度とにより、支柱に強固に連結されるため、高さ変更用パネルを安定的に支持することができる。
また、支柱自体を交換する必要がないので、既設のパネル本体等を分解して取り外し、新たに施工し直す手間が省けるとともに、施工費や交換部材の費用も安価となる。
【０００７】
本発明の間仕切りパネルにおける上部支柱の連結構造は、上部支柱の他側面にも、嵌合杆とにより支柱の他方の側壁を狭持可能な補強杆を設けるのが好ましい。
このようにすると、支柱の両側面が２つの補強杆と嵌合杆とにより狭持されるため、上部支柱はより強固に連結される。
【０００８】
本発明の間仕切りパネルにおける上部支柱の連結構造は、補強杆の前後の端縁に側方を向く折曲片を連設し、両折曲片の前後面をパネル本体の凹溝内の前後の面と当接又は近接させるのが好ましい。
このようにすると、上部支柱の前後方向の曲げ強度が向上する。
【０００９】
本発明の間仕切りパネルにおける上部支柱の連結構造は、嵌合杆の下端部に、該嵌合杆を支柱に嵌合したとき、支柱の縦長孔と弾性係合する係止部材を設けるのが好ましい。
このようにすると、上部支柱が支柱より簡単に抜け外れることがなくなる。
【００１０】
本発明の間仕切りパネルにおける上部支柱の連結構造は、係止部材を、前後方向に撓曲可能な弾性片よりなるものとし、かつ下端部に、斜前上方を向いて傾斜するとともに、上端に支柱の縦長孔の上端縁に係止可能なほぼ水平の係止縁を有する係合爪部を備えるものとするのが好ましい。
このようにすると、上部支柱の嵌合杆を支柱に嵌合するだけで、係合爪部が自動的に支柱の縦長孔に突入して係止されるとともに、係合爪部を前方より押圧すれば、縦長孔より離脱するので、上部支柱の取外しも容易となる。
【００１１】
【発明の実施の形態】
以下、本発明の実施例を図面に基づいて説明する。先ず本発明の間仕切パネルにおける上部支柱の連結構造に係る第１実施形態につき説明する。
【００１２】
図１〜図５は本発明の第１実施形態を示す。図１はパネル本体上端に上部パネルを取り付ける状態を示す斜視図、図２はパネル本体上端に上部パネルを取り付けた状態を示す斜視図、図３の（ａ）はパネル本体間を接続する支柱を示す部分斜視図、（ｂ）は支柱の接合部を示す部分拡大斜視図、図４はパネル本体間を接続する支柱に上部支柱を取り付ける連結構造を示す分解組立斜視図であり、図５は図２のＡ−Ａ断面図である。
【００１３】
本発明は、間仕切パネルの高さを更に高くする際に、パネル本体の上端に上部パネルを接続するめに使用される上部支柱の連結構造に関するものである。
【００１４】
すなわち、図１に示すように、１は間仕切パネルを示し、この間仕切パネル１は、ローパーティション２と、その上部に接続される上部パーティション３とで構成されている。
【００１５】
ローパーティション２は、複数の支柱４を介して横方向に接続される複数のパネル本体５によって構成され、このローパーティション２の上部に接続される上部パーティション３は、上記各支柱４の上端に連結された上部支柱６を介して接続される複数の上部パネル７から構成されている。
【００１６】
パネル本体５は、周知の通り２枚のパネル５ａ、５ｂ間に図示しない枠体を挟んで所定厚味を有する矩形状に形成され、その両端部には２枚のパネル５ａ、５ｂ間に上下方向を向く凹溝部８が形成され、これらパネル本体５は平面状のものや湾曲状のものから構成されている。
【００１７】
このローパーティション２は、オフィス等の空間を仕切るために複数のパネル本体５を、該パネル本体５間の対向面に形成された凹溝部８に各支柱４を挿嵌して接続されるが、これらの支柱４は、パネル本体５を例えば平面視直線状、Ｔ字形または十字形状に接続するよう構成することができる。
【００１８】
ここで支柱４の構造につき簡単に説明すると、この支柱４は、図３の（ａ）、（ｂ）及び図４に示されるように、帯状鋼板の両側を折曲したコ字状の部材を離間して対向させて断面矩形または正方形の角筒状に形成されており、対向する折曲片４ａ、４ｂの少なくとも前面側には多数の縦長孔９が上下方向に形成され、対向する折曲片４ａ、４ｂには上下方向に所定間隔毎に矩形状の凹溝１０ａ、１０ｂが形成されている。
【００１９】
一方、互いに接続される２枚のパネル５ａ、５ｂ間によって、端部の対向面に形成される凹溝部８の底面には、支柱４の両折曲片４ａ、４ｂに上下方向に配置された各凹溝１０ａ、１０ｂに対応するよう上下方向に複数の係止片１２が所定間隔で配置されている。
【００２０】
更に、これら係止片１２は、両凹溝１０ａ、１０ｂ内に所定高さ（両凹溝１０ａ、１０ｂの深さより低い高さで構成されている）の平面から成る当接面Ｔの幅方向両側から一対の舌片１３ａ、１３ｂが突設し、両舌片１３ａ、１３ｂの幅方向の間隔、並びに縦方向の長さは両凹溝１０ａ、１０ｂの縦及び横の寸法より短寸に形成されており、舌片１３ａ、１３ｂの少なくとも下方には両凹溝１０ａ、１０ｂの下端に板厚部が係合可能な係止溝Ｍが形成されている。
【００２１】
従って、パネル本体５間が接合される際には、パネル本体５間の対向面に形成される凹溝部８に角筒状の支柱４の側面が挿嵌された状態で、係止片１２の両舌片１３ａ、１３ｂが両凹溝１０ａ、１０ｂに係合されるが、係合する際に挿嵌された支柱４の片側側面が係止片１２の当接面Ｔに当接し、支柱４の片側側面とパネル本体５端部の凹溝部８底面との間に所定の隙間Ｓが形成される。
【００２２】
次に、上記支柱４の上端に連結される上部支柱６の連結構造につき説明する。上部支柱６は、図４に示されるように、前述した支柱４を短縮したもので、長さ以外は同一に構成されている。
【００２３】
上部支柱６の下端には、この上部支柱６の内部に角筒状をなす嵌合杆１４が挿嵌固定されてその下端から所定長さ突設しており、上部支柱６下端の一側面には上記嵌合杆１４に対向して補強杆１５が下方に突設するよう固定されている。
【００２４】
この補強杆１５は、一方のパネル本体５の凹溝部８内に、支柱４の片側側面とパネル本体５端部の凹溝部８底面との間で形成される隙間Ｓに挿嵌可能な断面形状に構成されている。
【００２５】
更に詳しくは、補強杆１５は、前後の端縁に側方を向く折曲片１５ａ、１５ｂを連設してコ字形状に形成し、両折曲片１５ａ、１５ｂの前後面をパネル本体５の凹溝部８内に形成される隙間Ｓの前後の面と当接又は近接するように形成されている。
【００２６】
更に補強杆１５は、嵌合杆１４との間に支柱４側壁の肉厚よりも僅かに大きな隙間Ｇが形成されるように対向状に固着されおり、嵌合杆１４を支柱４の上端部に嵌合して上部支柱６を立設させたとき、嵌合杆１４と補強杆１５とにより支柱４の側壁を狭持するように構成される。
【００２７】
加えて、上部支柱６の内部に挿嵌固定された嵌合杆１４の下端部には、この嵌合杆１４内部に設けられた支持板１６に一端が固定された支杆２１の係止部材１８の下端が突設されており、この係止部材１８は、嵌合杆１４を支柱４の上端に嵌合したとき、支柱４の側面に上下方向に列設される複数の縦長孔９のうち特定（例えば最上端の縦長孔）の縦長孔９と弾性係合するよう構成されている。
【００２８】
詳しくは、上記係止部材１８は、前後方向に撓曲可能な弾性片１９よりなるものとし、かつ下端部に、斜前上方を向いて傾斜するとともに、上端に支柱４の縦長孔９の上端縁に係止可能なほぼ水平の係止縁２０を有する係合爪部２２を備えている。
【００２９】
次に、上記構成の間仕切パネルにおける上部支柱の連結手順につき説明する。
【００３０】
先ず、図１及び図３の（ａ）、（ｂ）に示されるように、間仕切パネル１の基礎となる各パネル本体５を接合するに際し、互いに隣接する一方のパネル本体５の対向する凹溝部８内に上下方向に配置される係止片１２の両舌片１３ａ、１３ｂを、支柱４の一側面に形成される両凹溝１０ａ、１０ｂの下端縁に係止させると共に、支柱４の対向する側面を係止片１２の当接面Ｔに当接させた状態でパネル本体５の凹溝部８内に挿嵌する。
【００３１】
次に、一方のパネル本体５端部に取り付けられた支柱４の反対側側面の両凹溝１０ａ、１０ｂに、相手側パネル本体５凹溝部８内に上下に配置される係止片１２の両舌片１３ａ、１３ｂをそれぞれ係止させると共に、この支柱４の反対側側面を対向する係止片１２の当接面Ｔに当接させた状態で相手側パネル本体５の凹溝部８内に挿嵌する。
【００３２】
このようにして、各パネル本体５が支柱４を介して接続されてローパーティション２が構成されてオフィス等の床面上に立設されると、これら各パネル本体５の上端に、上部支柱６を介して複数の上部パネル７からなる上部パーティション３が接続される。
【００３３】
図１及び図３に示されるように、各上部パネル７は、前述した接合手順と同様の手順によって上部支柱６を介して横方向に接合されるので、詳細な説明は省略する。
【００３４】
各パネル本体５の上端に、複数の上部パネル７を接続するに際し、横方向に接続された各上部パネル７の上部支柱６の下端を、各パネル本体５を接続した各支柱４の上端にそれぞれ連結する。
【００３５】
この連結に際し、図４に示されるように、上部支柱６下端の角筒状をなす嵌合杆１４を各支柱４上端の内部に挿嵌すると共に、コ字状の補強杆１５を、支柱４の両側面とパネル本体５端部の凹溝部８底面との間で形成される隙間Ｓに上方から挿嵌する。
【００３６】
各支柱４の上端に上部支柱６を挿嵌するに際し、嵌合杆１４の下端から外方に僅かに突出した弾性片１９下端部の係合爪部２２は、各支柱４内部に挿入する下降動作で弾性変形するが、この係合爪部２２が支柱４の縦長孔９に一致した際に、自己の復帰弾力により縦長孔９に突入して水平の係止縁２０が縦長孔９の上端縁に係止される。また、支柱４の上端に接続された上部支柱６を離脱する際は、係合爪部２２を前方より押圧すれば、縦長孔９より離脱される。
【００３７】
このように、各上部パネル７間を接続した上部支柱６を、各支柱４の上端にそれぞれ連結することによって、ローパーティション２の上部に横方向に接続された上部パネル７から成る上部パーティション３が接続されて間仕切パネル１の組立が完成する。
【００３８】
このようにすることによって、上部支柱６が、支柱４の上端部に嵌合した嵌合杆１４の嵌合強度と、嵌合杆１４と補強杆１５とによる支柱４側壁の狭持強度とにより、支柱４に強固に連結されるため、上部パネル７を安定的に支持することができる。
【００３９】
また、支柱４自体を交換する必要がないので、既設のパネル本体５等を分解して取り外し、新たに施工し直す手間が省けるとともに、施工費や交換部材の費用も安価となる。
【００４０】
更に、上部支柱６の補強杆１５が、その前後の端縁に側方を向く折曲片１５ａ、１５ｂを連設して断面コ字状に形成し、両折曲片１５ａ、１５ｂの前後面をパネル本体５の凹溝部８内に形成される隙間Ｓの前後の面と当接又は近接させるよう構成されているので、上部支柱６の前後方向の曲げ強度が向上する。
【００４１】
加えて、上部支柱６の嵌合杆１４の下端部に、この嵌合杆１４を支柱４の内部に嵌合したとき、撓曲可能な弾性片１９が支柱４の縦長孔９と弾性係合する係止部材１８の前後方向に設けられているので、支柱４の内部に嵌合した上部支柱６は、支柱４より簡単に抜け外れることがなくなる。
【００４２】
また、係止部材１８が、前後方向に撓曲可能な弾性片１９より成り、この弾性片１９が、その下端部に斜前上方を向いて傾斜するとともに、支柱４の縦長孔９上端縁に係止可能な水平の係止縁２０を有する係合爪部２２を備えた構成となっているので、上部支柱６の嵌合杆１４を支柱４に嵌合するだけで、係合爪部２２が自動的に支柱４の縦長孔９に突入して係止されるとともに、この係合爪部２２を前方より押圧すれば、縦長孔９より離脱するので、上部支柱６の取外しも容易に行うことができる。
【００４３】
次に、本発明の第２実施形態につき説明する。図６は本発明の第２実施形態に係り、パネル本体間を接続する支柱に上部支柱を取り付ける連結構造を示す分解組立斜視図である。なお、上記実施形態における構成部分と同一構成部分に関しては同一符号を付し、重複する説明を省略する。
【００４４】
本実施形態における連結構造は、上部支柱６の片側側面に固定された補強杆１５に加え、上部支柱６の他側面にも同一構造の補強杆を取付たものである。
【００４５】
すなわち、上部支柱６下端の片側側面には、上記実施形態と同様に角筒状をなす嵌合杆１４が所定長さ突設しており、嵌合杆１４に対向して上部支柱６下端の一側面には補強杆１５が下方に突設するよう固定されている。
【００４６】
更に、上部支柱６の他側面にも、同一形状のコ字形をした補強杆２５が下方に突設するよう固定され、この補強杆２５は、嵌合杆１４との間に支柱４側壁の肉厚よりも僅かに大きな隙間Ｇが形成されるように対向状に固着されており、嵌合杆１４を支柱４上端部に嵌合して上部支柱６を立設させたとき、嵌合杆１４と補強杆２５とにより支柱４の他の側壁を狭持するように構成されている。
【００４７】
そして、この補強杆２５は、一方のパネル本体５と対向して接続される相手側のパネル本体５の凹溝部８′内に、支柱４の他側面とパネル本体５端部の凹溝部８′底面との間で形成される隙間Ｓ′に挿嵌可能な断面形状として構成されている。
【００４８】
詳しくは、補強杆２５は、前後の端縁に側方を向く折曲片２５ａ、２５ｂを連設してコ字形状に形成し、両折曲片２５ａ、２５ｂの前後面を接続される相手側のパネル本体５の凹溝部８′内に形成される隙間Ｓ′の前後の面と当接又は近接するように形成されており、嵌合杆１４と補強杆１５とにより支柱４の他の側壁を狭持するように構成されている。
【００４９】
次に、第２実施形態に係る上記構成の間仕切パネルにおける上部支柱の連結手順につき説明する。
【００５０】
上記第１実施形態と同様に、間仕切パネル１の基礎となる各パネル本体５が支柱４を介して接続されると、オフィス等の床面上に立設された各パネル本体５の上端に上部支柱６を介して複数の上部パネル７が接続される。
【００５１】
上部支柱６の連結に際し、図６に示されるように、この上部支柱６下端の嵌合杆１４を、各支柱４上端の内部に挿嵌すると共にコ字状の補強杆１５と、上部支柱６の反対側側面に固定された別の補強杆２５とを、支柱４の片側側面とパネル本体５端部の凹溝部８底面との間で形成される隙間Ｓ、及び支柱４の他の側面と接続された相手側のパネル本体５端部の凹溝部８′底面との間で形成される隙間Ｓ′に上方から同時に挿嵌する。
【００５２】
これにより、上部支柱６の片側側面に固定された補強杆１５に加え、上部支柱６の他側面にも同一構造の補強杆２５が取付けられているので、支柱４上端の両側面が２つの補強杆１５、２５と嵌合杆１４とにより狭持されるため、上部支柱６がより強固に連結される。
【００５３】
【発明の効果】
本発明によれば、次のような効果が得られる。
【００５４】
（ａ）請求項１に記載の発明によれば、上部支柱が、支柱の上端部に嵌合した嵌合杆の嵌合強度と、嵌合杆と補強杆とによる支柱側壁の狭持強度とにより、支柱に強固に連結されるため、高さ変更用パネルを安定的に支持することができる。
また、支柱自体を交換する必要がないので、既設のパネル本体等を分解して取り外し、新たに施工し直す手間が省けるとともに、施工費や交換部材の費用も安価となる。
【００５５】
（ｂ）請求項２に記載の発明によれば、支柱の両側面が２つの補強杆と嵌合杆とにより狭持されるため、上部支柱はより強固に連結される。
【００５６】
（ｃ）請求項３に記載の発明によれば、上部支柱の前後方向の曲げ強度が向上する。
【００５７】
（ｄ）請求項４に記載の発明によれば、上部支柱が支柱より簡単に抜け外れることがなくなる。
【００５８】
（ｅ）請求項５に記載の発明によれば、上部支柱の嵌合杆を支柱に嵌合するだけで、係合爪部が自動的に支柱の縦長孔に突入して係止されるとともに、係合爪部を前方より押圧すれば、縦長孔より離脱するので、上部支柱の取外しも容易となる。
【図面の簡単な説明】
【図１】パネル本体上端に上部パネルを取り付ける状態を示す斜視図である。
【図２】パネル本体上端に上部パネルを取り付けた状態を示す斜視図である。
【図３】（ａ）はパネル本体間を接続する支柱を示す部分斜視図、（ｂ）は支柱の接合部を示す部分拡大斜視図である。
【図４】パネル本体間を接続する支柱に上部支柱を取り付ける連結構造を示す分解組立斜視図である。
【図５】図２のＡ−Ａ断面図である。
【図６】本発明の第２実施形態に係り、パネル本体間を接続する支柱に上部支柱を取り付ける連結構造を示す分解組立斜視図である。
【符号の説明】
１              間仕切パネル
２              ローパーティション
３              上部パーティション
４              支柱
４ａ、４ｂ      折曲片
５              パネル本体
５ａ、５ｂ      パネル
６              上部支柱
７              上部パネル
８              凹溝部
９              縦長孔
１０ａ、１０ｂ  凹溝
１２            係止片
１３ａ、１３ｂ  舌片
１４            嵌合杆
１５            補強杆
１５ａ       、１５ｂ  折曲片
１６            支持板
１８            係止部材
１９            弾性片
２０            係止縁
２１            支杆
２２            係合爪部
２５ａ       、２５ｂ  折曲片
２５            補強杆
Ｇ              隙間
Ｍ              係止溝
Ｓ              隙間
Ｔ              当接面
【図１】
0004447732.tif 000002
【図２】
0004447732.tif 000003
【図３】
0004447732.tif 000004
【図４】
0004447732.tif 000005
【図５】
0004447732.tif 000006
【図６】
0004447732.tif 000007